(57)【要約】【課題】  フィルタを破れにくくすると共に、交換が容易であり、フィルタ交換のコストを低減させることができるダストボックスユニットと、このダストボックスユニットを備えた電気掃除機を提供する。【解決手段】  ダストボックスユニットを構成するフィルタユニット１０の基台１は、枠状に形成された底面部２から延出する複数の支柱部材によって形成される隙間を塞ぐようにメインフィルタ４が固定されている。そして、サブフィルタ係止具１１は、使用者がサブフィルタ５をメインフィルタ４の吸込み上流側の表面を覆うように設置する時に、サブフィルタ５を、サブフィルタ係止具１１と基台１の底面部２との間に、隙間１６を形成しつつ、挟み込むように係止している。【選択図】図６
2017074322.tif 000002
【特許請求の範囲】
【請求項１】
掃除機に着脱自在に設置されるダストボックスユニットにおいて、該ダストボックスユニットは、
集塵容器と、フィルタユニットと、サブフィルタ係止具とを有し、
前記フィルタユニットは、基台と、メインフィルタとを備え、
前記基台は、枠状の底面部に複数の支柱部材の一方の端部が固定され、他方の端部が前記集塵容器側に延出しているものであって、
前記複数の支柱部材によって形成される隙間を塞ぐように前記メインフィルタが固定され、
前記集塵容器は、前記基台に対して着脱自在に係止され、前記基台の底面部から前記支柱部材及び前記メインフィルタを覆うように設置されており、
前記サブフィルタ係止具は、使用者がティッシュペーパー等からなるサブフィルタを前記メインフィルタの吸込み上流側の表面を覆うように設置する時に、
該サブフィルタを、前記サブフィルタ係止具と前記基台の前記底面部との間に、隙間を形成しつつ、挟み込むように設置されていることを特徴とするダストボックスユニット。
【請求項２】
フィルタユニットは、基台の底面部から支柱部材と同じ方向に延出する枠状の防塵壁を備え、サブフィルタ係止具は、前記防塵壁の形状と略同一形状の防塵押さえ部を有することを特徴とする請求項１に記載のダストボックスユニット。
【請求項３】
サブフィルタ係止具の防塵押さえ部は曲面または傾斜面を有することを特徴とする請求項２に記載のダストボックスユニット。
【請求項４】
基台は、支柱部材の他方の端部側に当て部を備えており、該当て部の外周は、前記複数の支柱部材の他方の端部側で形成される外周よりも大きいことを特徴とする請求項１〜３のいずれか１項に記載のダストボックスユニット。
【請求項５】
当て部は、支柱部材の他方の端部側からサブフィルタを引き離す方向に可動自在であることを特徴とする請求項４に記載のダストボックスユニット。
【請求項６】
吸込口と、吸引力を発生させる電動送風機と、前記吸込口と前記電動送風機とを連通する風路と、該風路に設けられた請求項１〜５のいずれか１項に記載のダストボックスユニットとを備えた電気掃除機。
【発明の詳細な説明】
【技術分野】
【０００１】
本発明は、掃除機に着脱自在に設置されるダストボックスユニット及びこのダストボックスユニットを備えた電気掃除機に関するものである。
【背景技術】
【０００２】
従来から、様々な構造のダストボックスが開発されており、特に、ダストボックスに取り付けられるフィルタを交換することができる構造のものとしては、筒体の底面開口部の内側に断面略鉤状に折曲させた取付凹溝と、この取付凹溝にその端部を挿入して筒体の底面開口部に配設するフィルタと、前記取付凹溝に取り外し自在に嵌合してフィルタを押さえる取付輪とよりなるものが知られている（特許文献１）。
【０００３】
また、塵埃を捕集自在なシート状フィルタを保持することができる開閉自在なバインダーが、電気掃除機の本体に着脱自在に設置される略四角錐状のダストボックスに保持されるものであって、前記ダストボックスが、回動自在に接合されたダストボックス上流部およびダストボックス下流部から構成されているものが知られている（特許文献２）。
【先行技術文献】
【特許文献】
【０００４】
【特許文献１】実公昭４７−３０２００号公報
【特許文献２】特許第５０１４００８号公報
【発明の概要】
【発明が解決しようとする課題】
【０００５】
しかしながら、上記特許文献１に記載されたダストボックスは、塵埃の排出時及びフィルタの交換時に作業者の手が塵埃で汚れやすいものであった。また、上記特許文献２に記載されたダストボックスは、シート状フィルタが塵埃を捕集する機能を兼ねるものであることから、通気性を備えつつも破れにくい素材であることが必要であり、製造コストが嵩むと共に、塵埃排出時のシート状フィルタの取り換えコストも嵩むものとなっていた。
【０００６】
本発明は、前記従来の課題を解決するもので、フィルタを破れにくくすると共に、交換が容易であり、フィルタ交換のコストを低減させることができるダストボックスユニットと、このダストボックスユニットを備えた電気掃除機を提供することを目的とする。
【課題を解決するための手段】
【０００７】
前記従来の課題を解決するために、請求項１の発明は、掃除機に着脱自在に設置されるダストボックスユニットにおいて、該ダストボックスユニットは、集塵容器と、フィルタユニットと、サブフィルタ係止具とを有し、前記フィルタユニットは、基台と、メインフィルタとを備え、前記基台は、枠状の底面部に複数の支柱部材の一方の端部が固定され、他方の端部が前記集塵容器側に延出しているものであって、前記複数の支柱部材によって形成される隙間を塞ぐように前記メインフィルタが固定され、前記集塵容器は、前記基台に対して着脱自在に係止され、前記基台の底面部から前記支柱部材及び前記メインフィルタを覆うように設置されており、前記サブフィルタ係止具は、使用者がティッシュペーパー等からなるサブフィルタを前記メインフィルタの吸込み上流側の表面を覆うように設置する時に、該サブフィルタを、前記サブフィルタ係止具と前記基台の前記底面部との間に、隙間を形成しつつ、挟み込むように設置されていることを特徴としている。
【０００８】
本発明のダストボックスユニットは、メインフィルタとサブフィルタの２種類のフィルタを使用するので、サブフィルタで大きな塵埃を捕集し、サブフィルタを通過した細かな塵埃をメインフィルタで捕集できる。そのため、サブフィルタと共に塵埃を廃棄するだけで捕集した塵埃の大部分を除去できるので、メインフィルタ表面に付着した塵埃を指やブラシ等で除去したり、洗浄する手間が軽減される。また、サブフィルタにティッシュペーパー等が使用されるので、交換が容易であると共に、サブフィルタの取り換えコストを低減させることができる。また、サブフィルタであるティッシュペーパー等は、サブフィルタ係止具と基台の枠状の底面部との間に隙間を形成しつつ、挟み込むように設置されているので、サブフィルタ係止具を装着する際にサブフィルタが張った状態となるのを避けることができ、サブフィルタであるティッシュペーパー等の破れを防ぐことができる。
【０００９】
請求項２の発明は、請求項１の発明において、フィルタユニットは、基台の底面部から支柱部材と同じ方向に延出する枠状の防塵壁を備え、サブフィルタ係止具は、前記防塵壁の形状と略同一形状の防塵押さえ部を有することを特徴としている。防塵壁と防塵押さえ部の略同一形状部分によってサブフィルタを面で保持できる。これによりサブフィルタ係止具と基台の底面部との間に形成された隙間を通過して、塵埃がサブフィルタとメインフィルタとの間の空間に侵入することを防ぐことができる。
【００１０】
請求項３の発明は、請求項２の発明において、サブフィルタ係止具の防塵押さえ部は曲面または傾斜面を有することを特徴としている。したがって、曲面または傾斜面によって、サブフィルタであるティッシュペーパー等が破れるのを防ぐことができる。
【００１１】
請求項４の発明は、請求項１〜３のいずれかの発明において、基台は、支柱部材の他方の端部側に当て部を備えており、該当て部の外周は、前記複数の支柱部材の他方の端部側で形成される外周よりも大きいことを特徴としている。したがって、当て部に当接させた状態で設置されるサブフィルタと、支柱部材間に固定されているメインフィルタとの間に空間が形成されることとなり、この空間にサブフィルタを通過した微小な塵埃を収容することができる。また、当て部によって、サブフィルタの表面積が広くなるため、多くの塵埃を捕集することができるとともに、サブフィルタがダストボックスユニットから外部に出ることを防ぐことが出来る。
【００１２】
請求項５の発明は、請求項４の発明において、当て部は、支柱部材の他方の端部側からサブフィルタを引き離す方向に可動自在であることを特徴としている。したがって、当て部を可動させることによって、サブフィルタを引き離して廃棄すると共に、メインフィルタとの間の空間に収容されている塵埃を排出することができる。
【００１３】
請求項６の発明は、電気掃除機の発明であって、吸込口と、吸引力を発生させる電動送風機と、前記吸込口と前記電動送風機とを連通する風路と、該風路に設けられた請求項１〜５のいずれかのダストボックスユニットとを備えたことを特徴としている。したがって、メインフィルタの手入れが容易であると共に、サブフィルタの交換が容易であり、且つサブフィルタの取り換えコストを低減させることができる電気掃除機を提供できる。
【発明の効果】
【００１４】
請求項１の発明は、メインフィルタの手入れが容易であると共に、サブフィルタの交換が容易であり、且つサブフィルタの取り換えコストを低減させることができる。
【００１５】
請求項２の発明は、塵埃がサブフィルタの内側に進入することを防ぐことができる。
【００１６】
請求項３の発明は、サブフィルタであるティッシュペーパー等が破れるのを防ぐことができる。
【００１７】
請求項４の発明は、サブフィルタを通過した微小な塵埃を収容する空間を形成することができる。また、サブフィルタの表面積が広くなり、多くの塵埃をサブフィルタで捕集することが出来るとともに、サブフィルタがダストボックスユニットの外部に出ることを防ぐことが出来る。
【００１８】
請求項５の発明は、サブフィルタの廃棄と、サブフィルタとメインフィルタとの間の空間に収容されている塵埃の排出を容易に行うことができる。
【００１９】
請求項６の発明は、メインフィルタの手入れが容易であると共に、サブフィルタの交換が容易であり、且つサブフィルタの取り換えコストを低減させることができる電気掃除機を提供できる。
【図面の簡単な説明】
【００２０】
【図１】第一の実施形態における（ａ）サブフィルタ係止具を示す斜視図（ｂ）フィルタユニットを示す斜視図
【図２】第一の実施形態におけるフィルタユニットにサブフィルタ係止具が装着された状態を示す斜視図
【図３】第一の実施形態におけるフィルタユニットにサブフィルタ係止具が装着された状態を示す正面図
【図４】第一の実施形態におけるフィルタユニットにサブフィルタ係止具が装着された状態を示す右側面図
【図５】図２のＡ−Ａ断面図
【図６】図５の一部拡大断面図
【図７】当て部を示す断面図
【図８】集塵容器とフィルタユニットにサブフィルタ係止具が装着された状態とを示す斜視図
【図９】ダストボックスユニットを示す斜視図
【図１０】第二の実施形態におけるフィルタユニットを示す斜視図
【図１１】第二の実施形態におけるフィルタユニットにサブフィルタ係止具が装着された状態を示す斜視図
【図１２】図１１のＢ−Ｂ断面図の一部拡大断面図
【発明を実施するための形態】
【００２１】
以下、本発明の第一の実施形態について、図面を参照しながら説明する。なお、この実施の形態によって本発明が限定されるものではない。
【００２２】
図１（ａ）は、サブフィルタ係止具を示す斜視図であり、図１（ｂ）は、フィルタユニットを示す斜視図である。また、図２〜図４は、フィルタユニットにサブフィルタ係止具が装着された状態を示す斜視図（図２）、正面図（図３）、右側面図（図４）である。これらの図を用いて本発明に係るダストボックスユニットの概要について説明する。
【００２３】
本発明に係るダストボックスユニットは、後述する集塵容器と、フィルタユニット１０と、サブフィルタ係止具１１とを有している。フィルタユニット１０は、基台１と、メインフィルタ４とを備えている。基台１は、円形の開口を取り囲むように枠状の底面部２が形成され、底面部２に複数の支柱部材３、３・・の一方の端部３ａ、３ａ・・が固定され、他方の端部３ｂ、３ｂ・・が集塵容器１２側に延出している。そして、複数の支柱部材３、３・・によって形成される隙間を塞ぐようにメインフィルタ４が固定されている。ここで、メインフィルタ４は、通気性を備えると共に、サブフィルタよりも目が細かく形成されている。
【００２４】
基台１は、複数の支柱部材３、３・・の他方の端部３ｂ、３ｂ・・側に、円板状の当て部７を備えており、当て部７の外周７ａは、複数の支柱部材３、３・・の他方の端部３ｂ、３ｂ・・側で形成される外周よりも大きく形成されている（図５参照）。また、基台１は、後述するサブフィルタ係止具１１が係止される位置の外側に一対の係止壁１ａ、１ａが形成されており、この一対の係止壁１ａ、１ａには、一対の係止孔１ｂ、１ｂが形成されている。
【００２５】
サブフィルタ係止具１１は、円環状に形成された係止基台１３に、一対の指掛け部１３ａ、１３ａと、一対の係止突起１３ｂ、１３ｂとが形成されている。そして、サブフィルタ係止具１１をフィルタユニット１０に固定する場合には、一対の指掛け部１３ａ、１３ａの外側を使用者が２本の指でつまんで内側に力を加えることによって、一対の係止突起１３ｂ、１３ｂが変形する。そして、この状態で係止壁１ａの係止孔１ｂが形成されている位置まで移動させ、一対の指掛け部１３ａ、１３ａの外側をつまんでいる使用者の２本の指を離すことによって、一対の係止突起１３ｂ、１３ｂは、一対の係止孔１ｂ、１ｂに挿入され、サブフィルタ係止具１１はフィルタユニット１０に係止される。
【００２６】
図５は、図２のＡ−Ａ断面図であり、図６は、図５の一部拡大断面図である。また、図７は、当て部を示す断面図である。以下、図５〜図７を用いて本発明に係るダストボックスユニットの詳細について説明する。尚、説明の都合上、図２〜図４には、サブフィルタ５が描かれていないが、図５及び図６にはサブフィルタ５が描かれている。
【００２７】
図５に示すように、フィルタユニット１０は、基台１と、メインフィルタ４とを備えている。基台１は、枠状に形成された底面部２に一方の端部が固定された複数の支柱部材によって形成される隙間を塞ぐようにメインフィルタ４が固定されている。そして、基台１は、複数の支柱部材の他方の端部側に、円板状の天板１４が形成されている。また、天板１４の上面に当接するように円板状の当て部７が設置されており、当て部７の外周７ａは、天板１４の外周１４ａよりも大きく形成されている。
【００２８】
そして、サブフィルタ係止具１１は、使用者がサブフィルタ５をメインフィルタ４の吸込み上流側の表面を覆うように設置する時に、サブフィルタ５を、サブフィルタ係止具１１と基台１の底面部２との間に、隙間１６を形成しつつ、挟み込むように係止している。
【００２９】
したがって、当て部７の上面に当接した状態で設置されるサブフィルタ５とメインフィルタ４との間に空間１５が形成されることとなり、この空間１５にサブフィルタ５を通過した微小な塵埃を収容することができる。また、当て部７の外周７ａは、天板１４の外周１４ａよりも大きく形成されているので、当て部７を備えない場合に比べてサブフィルタ５の表面積が大きくなり、より多くの塵埃をサブフィルタ５で捕集できる。さらに、当て部７を備えることで、ダストボックスユニット２０内でサブフィルタ５が、より盛り上がった形状となる。そのため、特にティッシュペーパーのような既製品をサブフィルタ５として使用した場合、サブフィルタ５の端部がダストボックスユニット２０に収まりやすくなり、集塵容器を装着した際にサブフィルタ５が外部に出ることを防ぐことが出来る。また、サブフィルタ５は、サブフィルタ係止具１１と基台１の枠状の底面部２との間に隙間１６を形成しつつ、挟み込むように設置されているので、サブフィルタ係止具１１を装着する際にサブフィルタ５が張った状態となるのを避けることができ、サブフィルタ５の破れを防ぐことができる。ここで、サブフィルタ５には、ティッシュペーパー等を使用することができ、サブフィルタ５は、通気性を備えると共に、メインフィルタ４よりも目が粗く形成されている。
【００３０】
また、当て部７の下面の中央には可動棒９の一方の端部が取り付けられており、可動棒９の他方の端部には、可動棒凸部９ａが形成されている。また、天板１４には可動棒９を貫通させる貫通孔８が形成されている。したがって、図７に示すように当て部７は、支柱部材の他方の端部側からサブフィルタを引き離す方向に可動自在となっており、サブフィルタ係止具１１を取り外した後、当て部７を可動させることによって、サブフィルタ５を廃棄すると共に、メインフィルタ４との間の空間１５に収容されている塵埃を排出することができる。
【００３１】
フィルタユニットは、基台１の底面部２から支柱部材と同じ方向に延出する枠状の防塵壁６を備えている。そして、サブフィルタ係止具１１は、防塵壁６の形状と略同一形状の防塵押さえ部１１ａを有している。この防塵押さえ部１１ａは、曲面１１ｂを有している。上記構成により、防塵壁６と防塵押さえ部１１ａの略同一形状部分が互いに対向しているため、防塵壁６と防塵押さえ部１１ａとの隙間によってほぼ一定高さの連続した風路が形成される。この風路内では、サブフィルタ５は皺が入りながら折りたたまれ、かつ、サブフィルタ５を面（防塵壁６と防塵押さえ部１１ａの略同一形状部分）で保持している。そのため、この風路から塵埃が進入しようとすると、折りたたまれたサブフィルタ５が何層にもわたって塵埃の流入を遮断でき、防塵壁６と防塵押さえ部１１ａとの隙間から進入する塵埃をサブフィルタ５で確実に捕集できる。また、曲面１１ｂによって、サブフィルタであるティッシュペーパー等が破れるのを防ぐことができる。尚、曲面１１ｂを傾斜面に変更しても同様の効果を奏することができる。
【００３２】
図８は、集塵容器とフィルタユニットにサブフィルタ係止具が装着された状態とを示す斜視図であり、図９は、ダストボックスユニットを示す斜視図である。尚、説明の都合上、図８においてサブフィルタは描かれていない。図８及び図９に示すように、本発明に係るダストボックスユニット２０は、集塵容器１２と、フィルタユニット１０と、サブフィルタ係止具１１とを有するものであり、集塵容器１２の開口壁１２ａがフィルタユニット１０の基台１と嵌合することによって、集塵容器１２は、基台１に対して着脱自在に係止される構造となっている。そして、基台１の底面部２から支柱部材３及びメインフィルタ４を覆うように設置される。
【００３３】
集塵容器１２には、吸引開口１２ｂが形成されている。この吸引開口１２ｂは、風路（図示せず）を介して電気掃除機の吸込口（図示せず）と連結される構造となっている。また、基台１の底面部２の吸込み下流側は、風路を介して吸引力を発生させる電気掃除機の電動送風機（図示せず）と連結される構造となっている。したがって、本発明に係る電気掃除機は、メインフィルタ４の手入れが容易であると共に、サブフィルタの交換が容易であり、且つサブフィルタの取り換えコストを低減させることができる。
【００３４】
以下、本発明の第二の実施形態について、図面を参照しながら説明する。なお、上記第一の実施形態におけるダストボックスユニット２０と同一部品には、同一符号を付してその説明を省略する。
【００３５】
図１０は、フィルタユニットを示す斜視図である。また、図１１は、フィルタユニットにサブフィルタ係止具が装着された状態を示す斜視図である。図１２は、図１１のＢ−Ｂ断面の一部拡大断面図である。これらの図を用いて本発明に係るダストボックスユニット２０の概要について説明する。
【００３６】
フィルタユニット３０は、第一の実施形態における防塵壁６が形成されておらず、図１２に示すように、メインフィルタ４が底面部２から形成されている。サブフィルタ５は、サブフィルタ係止具１１と基台１の枠状の底面部２との間に隙間１６を形成しつつ、挟み込むように設置されている。ここで第二の実施形態では第一の実施形態における防塵壁６が形成されていないため、メインフィルタ４とサブフィルタ係止具１１との間の空間をより広く形成することが出来る。したがって、ティッシュペーパー等からなるサブフィルタ５をフィルタユニット３０に取り付ける際に、サブフィルタ係止具１１をスムーズに挿入することができ、サブフィルタ５の破れを防ぐことが出来る。
【００３７】
なお、第一の実施形態および第二の実施形態では、図６および図１２に示すように、基台１の開口近傍にて底面部２を屈曲させて段差を設けているが、底面部２とサブフィルタ係止具１１との間に隙間１６が形成されていれば段差を設けなくてもよく、底面部２を平滑な形状としてもよい。
【産業上の利用可能性】
【００３８】
本発明に係るダストボックスユニット及び電気掃除機は、電気掃除機に着脱自在に設置されるダストボックスユニットと、このダストボックスユニットを備えた電気掃除機として利用される。
【符号の説明】
【００３９】
１  基台
１ａ  係止壁
１ｂ  係止孔
２  底面部
３  支柱部材
３ａ、３ｂ  端部
４  メインフィルタ
５  サブフィルタ
６  防塵壁
７  当て部
７ａ、１４ａ  外周
８  貫通孔
９  可動棒
９ａ  可動棒凸部
１０、３０  フィルタユニット
１１  サブフィルタ係止具
１１ａ  防塵押さえ部
１１ｂ  曲面
１２  集塵容器
１２ａ  開口壁
１２ｂ  吸引開口
１３  係止基台
１３ａ  指掛け部
１３ｂ  係止突起
１４  天板
１５  空間
１６  隙間
２０  ダストボックスユニット
【図１】
2017074322.tif 000003
【図２】
2017074322.tif 000004
【図３】
2017074322.tif 000005
【図４】
2017074322.tif 000006
【図５】
2017074322.tif 000007
【図６】
2017074322.tif 000008
【図７】
2017074322.tif 000009
【図８】
2017074322.tif 000010
【図９】
2017074322.tif 000011
【図１０】
2017074322.tif 000012
【図１１】
2017074322.tif 000013
【図１２】
2017074322.tif 000014